(57)【要約】【課題】アナウンスメントモードへの切り替え時に、ユーザに与える違和感を低減することが可能な「放送受信装置および出力制御方法」を提供する。【解決手段】ＦＭ放送およびＤＡＢ放送の各々から、交通情報の放送開始を示すアナウンスメントフラグを検出するフラグ検出部１０７と、出力制御部１０６がＤＡＢ放送を出力している際に、ＤＡＢ放送からアナウンスメントフラグを検出した場合、ＦＭ放送からアナウンスメントフラグをさらに検出したタイミングをトリガとして、ＤＡＢ放送の出力モードを交通情報を出力する際のアナウンスメントモードに切り替える切替処理部１０８とを備えることにより、実際に交通情報の放送が開始されるタイミングにできるだけ近いタイミングで、第２規格の放送の出力モードをアナウンスメントモードに切り替えることができるようにする。【選択図】図１
2016144193.tif 000002
【特許請求の範囲】
【請求項１】
第１規格の放送を受信する第１受信部と、
前記第１規格の放送から遅延した第２規格の放送を受信する第２受信部と、
前記第１受信部によって受信された前記第１規格の放送と、前記第２受信部によって受信された前記第２規格の放送とを選択的に切り替えて出力する出力制御部と、
前記第１規格の放送および前記第２規格の放送の各々から、アナウンスメントの放送開始を示すアナウンスメントフラグを検出するフラグ検出部と、
前記出力制御部が前記第２規格の放送を出力している際に、前記フラグ検出部が前記第２規格の放送から前記アナウンスメントフラグを検出した場合、前記フラグ検出部が前記第１規格の放送から前記アナウンスメントフラグをさらに検出したタイミングをトリガとして、前記第２規格の放送の出力モードを前記アナウンスメントを出力する際のアナウンスメントモードに切り替える切替処理部と
を備えたことを特徴とする放送受信装置。
【請求項２】
前記第１規格の放送からの前記第２規格の放送の遅延時間を算出する遅延時間算出部をさらに備え、
前記切替処理部は、前記出力制御部が前記第２規格の放送を出力している際に、前記フラグ検出部が前記第２規格の放送から前記アナウンスメントフラグを検出した場合、前記フラグ検出部が前記第１規格の放送から前記アナウンスメントフラグをさらに検出したタイミングから、前記遅延時間算出部によって算出された前記遅延時間が経過したタイミングで、前記第２規格の放送の出力モードを前記アナウンスメントモードに切り替える
ことを特徴とする請求項１に記載の放送受信装置。
【請求項３】
前記切替処理部は、前記出力制御部が前記第２規格の放送を出力している際に、前記フラグ検出部が前記第２規格の放送から前記アナウンスメントフラグを検出した場合、前記フラグ検出部が前記第１規格の放送から前記アナウンスメントフラグをさらに検出したタイミングで、前記第２規格の放送の出力モードを前記アナウンスメントモードに切り替える
ことを特徴とする請求項１に記載の放送受信装置。
【請求項４】
前記フラグ検出部が前記第２規格の放送から前記アナウンスメントフラグを検出したタイミングから所定時間前までの間に、前記フラグ検出部が前記第１規格の放送から前記アナウンスメントフラグを既に検出している場合、前記切替処理部は、前記フラグ検出部が前記第２規格の放送から前記アナウンスメントフラグを検出したタイミングで、前記第２規格の放送の出力モードを前記アナウンスメントモードに切り替える
ことを特徴とする請求項１から３の何れか一項に記載の放送受信装置。
【請求項５】
前記第１規格の放送はＦＭ放送であり、前記第２規格の放送はＤＡＢ放送であることを特徴とする請求項１から４の何れか一項に記載の放送受信装置。
【請求項６】
前記第１規格の放送はＤＡＢ放送であり、前記第２規格の放送はＩＰ放送であることを特徴とする請求項１から４の何れか一項に記載の放送受信装置。
【請求項７】
前記第１規格の放送はＦＭ放送であり、前記第２規格の放送はＩＰ放送であることを特徴とする請求項１から４の何れか一項に記載の放送受信装置。
【請求項８】
前記切替処理部は、前記出力制御部が前記第２規格の放送を出力している際に、前記フラグ検出部が前記第２規格の放送から前記アナウンスメントフラグを検出した場合、前記フラグ検出部が前記第１規格の放送から前記アナウンスメントフラグをさらに検出してから所定時間が経過したタイミングで、前記第２規格の放送の出力モードを前記アナウンスメントを出力する際のアナウンスメントモードに切り替える
ことを特徴とする請求項１に記載の放送受信装置。
【請求項９】
第１規格の放送を受信する第１受信部と、
前記第１規格の放送から遅延した第２規格の放送を受信する第２受信部と、
前記第１受信部によって受信された前記第１規格の放送と、前記第２受信部によって受信された前記第２規格の放送とを選択的に切り替えて出力する出力制御部と、
前記第１規格の放送および前記第２規格の放送の各々から、アナウンスメントの放送開始を示すアナウンスメントフラグを検出するフラグ検出部と、
前記出力制御部が前記第２規格の放送を出力している際に、前記フラグ検出部が前記第２規格の放送から前記アナウンスメントフラグを検出した場合、その検出から所定時間が経過したタイミングで、前記第２規格の放送の出力モードを前記アナウンスメントを出力する際のアナウンスメントモードに切り替える切替処理部と
を備えたことを特徴とする放送受信装置。
【請求項１０】
第１規格の放送と、前記第１規格の放送から遅延した第２規格の放送とを選択的に切り替えて出力する出力制御部を備えた放送受信装置による出力制御方法であって、
前記放送受信装置のフラグ検出部が、アナウンスメントの放送開始を示すアナウンスメントフラグを前記第２規格の放送から検出する第１のフラグ検出工程と、
前記放送受信装置のフラグ検出部が、前記アナウンスメントフラグを前記第１規格の放送から検出する第２のフラグ検出工程と、
前記放送受信装置の切替処理部が、前記出力制御部が前記第２規格の放送を出力している際に、前記第１のフラグ検出工程にて第２規格の放送の前記アナウンスメントフラグが検出された場合、前記第２のフラグ検出工程にて前記第１規格の放送の前記アナウンスメントフラグがさらに検出されたタイミングをトリガとして、前記第２規格の放送の出力モードを前記アナウンスメントを出力する際のアナウンスメントモードに切り替える切替処理工程と
を含むことを特徴とする出力制御方法。
【発明の詳細な説明】
【技術分野】
【０００１】
本発明は、放送受信装置および出力制御方法に関し、特に、第１規格の放送と、第１規格の放送から遅延した第２規格の放送とを選択的に切り替えて出力するようになされた放送受信装置および出力制御方法に用いて好適なものである。
【背景技術】
【０００２】
従来、デジタル放送とアナログ放送とを受信して、デジタル放送とアナログ放送とを選択的に切り替えて出力できるようになされた放送受信装置が考案されている。
【０００３】
例えば、下記特許文献１には、ＤＡＢ（Digital Audio Broadcasting）放送とＦＭ−ＲＤＳ（Radio Data System）放送とを切り替えて出力することができるようになされた受信機に関し、ＤＡＢ放送を聞いている場合に、ＦＭ−ＲＤＳ放送で交通情報が始まると、音声出力を自動的に交通情報に切り替える技術が開示されている。特に、下記特許文献１の技術では、交通情報を音声出力しているときに、ＦＭ受信回路からのＲＤＳデータの受信状態が悪化した場合であっても、所定の期間後に音声出力をＤＡＢ放送に自動的に切り替えることにより、元のＤＡＢ放送を聞き続けることができるようになっている。
【０００４】
また、デジタル放送とアナログ放送とを選択的に切り替えて出力できるようになされた放送受信装置においては、デジタル放送については放送局においてデジタル化の処理が必要なため、放送受信装置にて受信されるデジタル放送とアナログ放送との間に時間差が生じること、すなわち、デジタル放送の受信がアナログ放送の受信よりも遅延することが知られている。そこで、従来、このような時間差を解消させるようにした技術が開示されている。
【０００５】
例えば、下記特許文献２には、デジタル放送チューナ部がデジタル音声放送を正常に受信できていない場合には、アナログ音声放送から受信した音声データを、デジタル音声放送から受信した音声データと同期させるために遅延させて出力させる技術が開示されている。特に、下記特許文献２の技術は、アナログ音声放送から緊急放送開始を検出した場合には、アナログ音声放送から受信した音声データを遅延させずに出力するようにしている。受信した緊急放送をできるだけ速やかに出力するためである。
【０００６】
また、下記特許文献３には、デジタル放送再生音声信号と、アナログ放送再生音声信号の時間差を解消させるため、両者の遅延時間差に応じて、アナログ放送再生音声信号を遅延させる技術が開示されている。
【０００７】
なお、下記特許文献４には、ＤＡＢ放送の選択出力中に、ＲＤＳ放送の割り込みサービスを受け付けたとき、当該割り込みサービスのスピーカ出力を所定時間保留し、その保留時間内に、ＤＡＢからの割り込みサービスを受け付けた場合には、ＤＡＢからの割り込みサービスをスピーカ出力する技術が開示されている。
【先行技術文献】
【特許文献】
【０００８】
【特許文献１】特開２００７−２８２１４７号公報
【特許文献２】特開２０１２−０８５２０７号公報
【特許文献３】特開平１０−２４７８５５号公報
【特許文献４】特許第３５２９９７６号公報
【発明の概要】
【発明が解決しようとする課題】
【０００９】
ここで、放送受信装置に対し、ＤＡＢ放送とＦＭ放送との各々から交通情報の放送開始を示すＴＡフラグ（アナウンスメントフラグ）が送信されてくる場合がある。従来の放送受信装置は、いずれかの放送からＴＡフラグを検出すると、交通情報の放送開始に備えて、出力音声の出力モードをアナウンスメントモードに切り替えるようになっている。アナウンスメントモードでは、例えば、出力音声の音量が高められる。また、交通情報が放送されていることを通知するために、所定の表示画面がディスプレイに表示される。
【００１０】
しかしながら、一般的に、ＤＡＢ放送のＴＡフラグは、実際に交通情報の放送が開始されるよりも所定時間前（例えば、５秒前）に送信されるようになっている。ＤＡＢ放送はＦＭ放送よりも高品質であるため、ユーザにとってはできるだけＤＡＢ放送を聞き続けることが好ましい。しかしながら、ＤＡＢ放送はＦＭ放送よりも遅延して送信されてくる。このため、ＤＡＢ放送およびＦＭ放送の双方が、ＴＡフラグを交通情報の開始タイミングで送信してしまうと、放送受信装置が、ＦＭ放送のＴＡフラグを先に受信してしまい、ＦＭ放送の出力に切り替えてしまう。そこで、放送受信装置がＤＡＢ放送のＴＡフラグを先に受信できるように、ＤＡＢ放送のＴＡフラグをＦＭ放送のＴＡフラグよりも早めに送信しているからである。
【００１１】
これに応じて、従来の放送受信装置は、ＤＡＢ放送を出力している際に、ＤＡＢ放送のＴＡフラグを検出すると、直ちにＤＡＢ放送の出力モードを交通情報を出力する際のアナウンスメントモードに切り替えるようになっている。しかしながら、このようにＤＡＢ放送のＴＡフラグの検出により直ちにアナウンスメントモードに切り替えてしまうと、交通情報の放送が開始されていないにも関わらず、出力音声の音量が高められたり、所定の表示画面がディスプレイに表示されたりしてしまうといった問題が生じてしまう。
【００１２】
図１１は、従来の放送受信装置によるアナウンスメントモードへの切り替えタイミングの一例を示す図である。この例では、ＦＭ放送およびＤＡＢ放送のいずれにおいても、通常の音声放送のデータが「-2」, 「-1」，「0」，「1」，「2」，「3」，「4」と放送された後に、交通情報のデータが「T1」，「T2」，「T3」，「T4」，・・・と放送される例を説明する。ここでは、データの１コマを所定時間（例えば、１秒）の放送データとして、模式的に示している。
【００１３】
図１１に示すように、ＤＡＢ放送とＦＭ放送とは同じ内容ではあるが、ＤＡＢ放送は、ＦＭ放送よりも遅延して放送局から送信される。また、図１１の点線矢印が示すように、ＦＭ放送では、交通情報の放送開始タイミングと同時にＴＡフラグが送信される。一方、図１１の実線矢印が示すように、ＤＡＢ放送では、交通情報の放送開始タイミングよりも所定時間前（図１１の例では５データ前）にＴＡフラグが送信される。
【００１４】
そして、図１１に示すように、従来の放送受信装置は、ＤＡＢ放送のＴＡフラグを検出したタイミングで、直ちに、アナウンスメントモードへの切り替えを行うようになっている。このため、ＴＡフラグを検出したタイミングから、実際に交通情報の放送が開始されるタイミングまで（図１１の例では５データ分）、通常の音声放送のデータがアナウンスメントモードで出力されてしまう。
【００１５】
このように、従来の放送受信装置は、ＤＡＢ放送が出力されているとき、実際に交通情報の放送が開始されるよりも早いタイミングで、アナウンスメントモードへの切り替えがなされてしまう。このため、未だ通常の音声放送が出力されているにも関わらず、出力音声の音量が急に大きくなったり、交通情報が放送されていることを通知するための表示画面が突然表示されたりしてしまい、ユーザに違和感を与えてしまうといった問題が生じていた。
【００１６】
本発明は、このような問題を解決するために成されたものであり、アナウンスメントモードへの切り替え時に、ユーザに与える違和感を低減することができるようにすることを目的とする。
【課題を解決するための手段】
【００１７】
上記した課題を解決するために、本発明では、第１規格の放送を受信する第１受信部と、第１規格の放送から遅延した第２規格の放送を受信する第２受信部と、第１受信部によって受信された第１規格の放送と、第２受信部によって受信された第２規格の放送とを選択的に切り替えて出力する出力制御部とを備えた放送受信装置において、第２規格の放送を出力している際に、第２規格の放送のアナウンスメントフラグを検出した場合、第１規格の放送のアナウンスメントフラグをさらに検出したタイミングをトリガとして、第２規格の放送の出力モードをアナウンスメントを出力する際のアナウンスメントモードに切り替えるようにしている。
【発明の効果】
【００１８】
上記のように構成した本発明によれば、第２規格の放送のアナウンスメントフラグを検出した後も、少なくとも第１規格の放送のアナウンスメントフラグを検出するまでは、第２規格の放送の出力モードをアナウンスメントモードに切り替えず、実際にアナウンスメントの放送が開始されるタイミングにできるだけ近いタイミングで、アナウンスメントモードに切り替えることができる。すなわち、第２規格の放送の通常放送がアナウンスメントモードで放送されてしまう期間をできるだけ短くすることができる。このため、本発明によれば、アナウンスメントモードへの切り替え時に、ユーザに与える違和感を低減することができる。
【図面の簡単な説明】
【００１９】
【図１】本発明の第１実施形態に係る放送受信装置の機能構成例を示すブロック図である。
【図２】本発明の第１実施形態に係る放送受信装置による処理の一例を示すフローチャートである。
【図３】本発明の第１実施形態に係る放送受信装置によるアナウンスメントモードへの切り替えタイミングの一例を示す図である。
【図４】本発明の第２実施形態に係る放送受信装置の機能構成例を示すブロック図である。
【図５】本発明の第２実施形態に係る放送受信装置による処理の一例を示すフローチャートである。
【図６】本発明の第２実施形態に係る放送受信装置によるアナウンスメントモードへの切り替えタイミングの一例を示す図である。
【図７】本発明の第３実施形態に係る放送受信装置の機能構成例を示すブロック図である。
【図８】本発明の第３実施形態に係る放送受信装置によるアナウンスメントモードへの切り替えタイミングの一例を示す図である。
【図９】本発明の第３実施形態に係る放送受信装置によるアナウンスメントモードへの切り替えタイミングの変形例を示す図である。
【図１０】本発明の第４実施形態に係る放送受信装置によるアナウンスメントモードへの切り替えタイミングの一例を示す図である。
【図１１】従来の放送受信装置によるアナウンスメントモードへの切り替えタイミングの一例を示す図である。
【発明を実施するための形態】
【００２０】
以下、本発明の一実施形態を図面に基づいて説明する。図１は、本発明の第１実施形態に係る放送受信装置１０の機能構成例を示すブロック図である。図１に示す放送受信装置１０は、ＦＭ放送（第１規格の放送の一例）と、ＤＡＢ放送（第２規格の放送の一例）とを受信して、受信したＦＭ放送の音声とＤＡＢ放送の音声とを選択的に切り替えてスピーカ１２に出力することが可能な装置である。
【００２１】
図１に示すように、放送受信装置１０は、第１受信部１０１、ＦＭ復調部１０２、第２受信部１０３、ＤＡＢ復調部１０４、バッファ部１０５、出力制御部１０６、フラグ検出部１０７および切替処理部１０８を備えている。
【００２２】
上記各機能ブロック１０１〜１０８は、ハードウェア、ＤＳＰ（Digital Signal Processor）、ソフトウェアの何れによっても構成することが可能である。例えばソフトウェアによって構成する場合、上記各機能ブロック１０１〜１０８は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００２３】
第１受信部１０１は、ＦＭ放送を受信する。ＦＭ復調部１０２は、第１受信部１０１によって受信されたＦＭ放送のアナログ音声信号を復調する。バッファ部１０５は、第１受信部１０１によって受信されたＦＭ放送（ＦＭ復調部１０２による復調後のＦＭ放送）のアナログ音声信号を一定時間遅延させる。
【００２４】
第２受信部１０３は、ＤＡＢ放送を受信する。ＤＡＢ復調部１０４は、第２受信部１０３によって受信されたＤＡＢ放送のデジタル音声信号を復調する。第２受信部１０３によって受信されるＤＡＢ放送は、第１受信部１０１によって受信されるＦＭ放送と同一の内容である。但し、第２受信部１０３によって受信されるＤＡＢ放送は、第１受信部１０１によって受信されたＦＭ放送よりも遅延して受信される。
【００２５】
出力制御部１０６は、第１受信部１０１によって受信されたＦＭ放送（ＦＭ復調部１０２による復調後のＦＭ放送）のアナログ音声信号と、第２受信部１０３によって受信されたＤＡＢ放送（ＤＡＢ復調部１０４による復調後のＤＡＢ放送）のデジタル音声信号とを選択的に切り替えて出力する。例えば、出力制御部１０６は、ＤＡＢ放送の受信信号強度が所定の閾値よりも高い場合には、ＤＡＢ放送に切り替えて出力する。一方、出力制御部１０６は、ＤＡＢ放送の受信信号強度が所定の閾値を下回った場合には、ＦＭ放送に切り替えて出力する。すなわち、出力制御部１０６は、ＦＭ放送よりも高品質なＤＡＢ放送を、優先的に出力するようにしている。
【００２６】
出力制御部１０６は、ＦＭ放送については、ＦＭ復調部１０２によるアナログ音声信号の復調後、バッファ１０５により一定時間を遅延したタイミングでアナログ音声信号を出力する。一方、出力制御部１０６は、ＤＡＢ放送については、ＤＡＢ復調部１０４によるデジタル音声信号の復調後、直ちにデジタル音声信号を出力する。これにより、出力制御部１０６は、ＦＭ放送の出力タイミングとＤＡＢ放送の出力タイミングとを同期させることができるようになっている。
【００２７】
フラグ検出部１０７は、第１受信部１０１によって受信されたＦＭ放送および第２受信部１０３によって受信されたＤＡＢ放送の各々から、交通情報（アナウンスメントの一例）の放送開始を示すＴＡフラグ（アナウンスメントフラグの一例）を検出する。
【００２８】
切替処理部１０８は、フラグ検出部１０７によってＴＡフラグが検出されたことに応じて、出力制御部１０６が出力する放送（ＦＭ放送またはＤＡＢ放送）の出力モードをアナウンスメントモードに切り替える。
【００２９】
特に、本実施形態では、切替処理部１０８は、出力制御部１０６がＤＡＢ放送を出力している際に、フラグ検出部１０７がＤＡＢ放送からＴＡフラグを検出した場合、フラグ検出部１０７がＦＭ放送からＴＡフラグをさらに検出したタイミングで、ＤＡＢ放送の出力モードをアナウンスメントモードに切り替えるようにしている。
【００３０】
ＤＡＢ放送の出力モードがアナウンスメントモードに切り替えられると、出力制御部１０６は、ＤＡＢ放送の出力音声の音量を高める。また、出力制御部１０６は、交通情報が放送されていることを通知するための所定の表示画面をディスプレイ１４に表示させる。これにより、ユーザは、交通情報をより大きな音量で聞くことができるとともに、ディスプレイ１４に表示された所定の表示画面によって、交通情報が放送されていることを把握することができる。
【００３１】
〔放送受信装置１０による処理の一例〕
図２は、本発明の第１実施形態に係る放送受信装置１０による処理の一例を示すフローチャートである。図２に示す処理は、例えば、出力制御部１０６がＤＡＢ放送を出力している間、繰り返し実行される。
【００３２】
まず、切替処理部１０８が、フラグ検出部１０７によってＤＡＢ放送からＴＡフラグが検出されたか否かを判断する（ステップＳ２０２）。ここで、ＤＡＢ放送からＴＡフラグが検出されていないと切替処理部１０８が判断した場合（ステップＳ２０２：Ｎｏ）、切替処理部１０８は、ステップＳ２０２の判断処理を再度実行する。
【００３３】
一方、ＤＡＢ放送からＴＡフラグが検出されたと切替処理部１０８が判断した場合（ステップＳ２０２：Ｙｅｓ）、切替処理部１０８が、フラグ検出部１０７によってＦＭ放送からＴＡフラグが検出されたか否かを判断する（ステップＳ２０４）。ここで、ＦＭ放送からＴＡフラグが検出されていないと切替処理部１０８が判断した場合（ステップＳ２０４：Ｎｏ）、切替処理部１０８は、ステップＳ２０４の判断処理を再度実行する。
【００３４】
一方、ＦＭ放送からＴＡフラグが検出されたと切替処理部１０８が判断した場合（ステップＳ２０４：Ｙｅｓ）、切替処理部１０８は、出力制御部１０６によるＤＡＢ放送の出力モードをアナウンスメントモードへ切り替える（ステップＳ２０６）。そして、放送受信装置１０は、図２に示す一連の処理を終了する。
【００３５】
〔アナウンスメントモードへの切り替えタイミングの一例〕
図３は、本発明の第１実施形態に係る放送受信装置１０によるアナウンスメントモードへの切り替えタイミングの一例を示す図である。この例では、ＦＭ放送およびＤＡＢ放送のいずれにおいても、通常の音声放送のデータが「-2」, 「-1」，「0」，「1」，「2」，「3」，「4」と放送された後に、交通情報のデータが「T1」，「T2」，「T3」，「T4」，・・・と放送される例を説明する。ここでは、データの１コマを所定時間（例えば、１秒）の放送データとして、模式的に示している。
【００３６】
図３に示すように、ＤＡＢ放送とＦＭ放送とは同じ内容ではあるが、ＤＡＢ放送は、ＦＭ放送よりも遅延して放送局から送信される。また、図３の点線矢印が示すように、ＦＭ放送では、交通情報の放送開始タイミングと同時にＴＡフラグが送信される。一方、図３の実線矢印が示すように、ＤＡＢ放送では、交通情報の放送開始タイミングよりも所定時間前（図３の例では５データ前）にＴＡフラグが送信される。
【００３７】
そして、図３に示すように、第１実施形態の放送受信装置１０は、ＤＡＢ放送のＴＡフラグを検出したタイミングでは、アナウンスメントモードへの切り替えを行わず、ＦＭ放送のＴＡフラグをさらに検出したタイミングで、アナウンスメントモードへの切り替えを行うようになっている。図３に示す例では、ＤＡＢ放送からＴＡフラグを検出したタイミングから、２データ分後に、ＦＭ放送からＴＡフラグを検出しており、このＦＭ放送のＴＡフラグを検出したタイミングで、アナウンスメントモードへの切り替えを行っている。
【００３８】
これにより、第１実施形態の放送受信装置１０は、従来の放送受信装置（図１１参照）よりも、実際に交通情報の放送が開始されるタイミングに２データ分近いタイミングで、アナウンスメントモードに切り替えることができるようになっている。すなわち、ＤＡＢ放送の通常放送がアナウンスメントモードで放送されてしまう期間を２データ分短くすることができる。このため、第１実施形態の放送受信装置１０によれば、アナウンスメントモードへの切り替え時に、ユーザに与える違和感を低減することができる。
【００３９】
〔第２実施形態〕
次に、図４〜６を参照して、本発明の第２実施形態について説明する。図４は、本発明の第２実施形態に係る放送受信装置１０’の機能構成例を示すブロック図である。図４に示す放送受信装置１０’は、遅延時間算出部１０９をさらに備えている点、および、切替処理部１０８の代わりに切替処理部１０８’を備えている点で、第１実施形態の放送受信装置１０（図１参照）と異なる。
【００４０】
遅延時間算出部１０９は、ＦＭ放送からのＤＡＢ放送の遅延時間を算出する。例えば、遅延時間算出部１０９は、ＦＭ放送のあるアナログ音声信号がＦＭ復調部１０２から出力されてバッファ部１０５に格納されたタイミングと、ＤＡＢ放送の同じ内容のデジタル音声信号がＤＡＢ復調部１０４から出力されたタイミングとの時間差分を、ＦＭ放送からのＤＡＢ放送の遅延時間として算出する。
【００４１】
切替処理部１０８’は、出力制御部１０６がＤＡＢ放送を出力している際に、フラグ検出部１０７がＤＡＢ放送からＴＡフラグを検出した場合、フラグ検出部１０７がＦＭ放送からＴＡフラグをさらに検出したタイミングから、遅延時間算出部１０９によって算出された遅延時間が経過したタイミングで、ＤＡＢ放送の出力モードをアナウンスメントモードに切り替える。
【００４２】
〔放送受信装置１０’による処理の一例〕
図５は、本発明の第２実施形態に係る放送受信装置１０’による処理の一例を示すフローチャートである。図５に示す処理は、例えば、出力制御部１０６がＤＡＢ放送を出力している間、繰り返し実行される。
【００４３】
まず、遅延時間算出部１０９が、ＦＭ放送からのＤＡＢ放送の遅延時間を算出する（ステップＳ５０２）。次に、切替処理部１０８’が、フラグ検出部１０７によってＤＡＢ放送からＴＡフラグが検出されたか否かを判断する（ステップＳ５０４）。ここで、ＤＡＢ放送からＴＡフラグが検出されていないと切替処理部１０８’が判断した場合（ステップＳ５０４：Ｎｏ）、切替処理部１０８’は、ステップＳ５０４の判断処理を再度実行する。
【００４４】
一方、ＤＡＢ放送からＴＡフラグが検出されたと切替処理部１０８’が判断した場合（ステップＳ５０４：Ｙｅｓ）、切替処理部１０８’が、フラグ検出部１０７によってＦＭ放送からＴＡフラグが検出されたか否かを判断する（ステップＳ５０６）。ここで、ＦＭ放送からＴＡフラグが検出されていないと切替処理部１０８’が判断した場合（ステップＳ５０６：Ｎｏ）、切替処理部１０８’は、ステップＳ５０６の判断処理を再度実行する。
【００４５】
一方、ＦＭ放送からＴＡフラグが検出されたと切替処理部１０８’が判断した場合（ステップＳ５０６：Ｙｅｓ）、切替処理部１０８’は、ステップＳ５０６でＦＭ放送からＴＡフラグが検出されたタイミングから、ステップＳ５０２で算出された遅延時間が経過したか否かを判断する（ステップＳ５０８）。ここで、遅延時間が経過していないと切替処理部１０８’が判断した場合（ステップＳ５０８：Ｎｏ）、切替処理部１０８’は、ステップＳ５０８の判断処理を再度実行する。
【００４６】
一方、遅延時間が経過したと切替処理部１０８’が判断した場合（ステップＳ５０８：Ｙｅｓ）、切替処理部１０８’は、出力制御部１０６によるＤＡＢ放送の出力モードをアナウンスメントモードへ切り替える（ステップＳ５１０）。そして、放送受信装置１０’は、図５に示す一連の処理を終了する。
【００４７】
〔アナウンスメントモードへの切り替えタイミングの一例〕
図６は、本発明の第２実施形態に係る放送受信装置１０’によるアナウンスメントモードへの切り替えタイミングの一例を示す図である。図６において、ＤＡＢ放送およびＦＭ放送から送信されるデータの内容や、ＤＡＢ放送およびＦＭ放送からＴＡフラグが送信されるタイミングについては、第１実施形態（図３）と同様であるため、説明を省略する。
【００４８】
図６に示すように、第２実施形態の放送受信装置１０’は、ＤＡＢ放送のＴＡフラグを検出したタイミングでは、アナウンスメントモードへの切り替えを行わず、ＦＭ放送のＴＡフラグをさらに検出したタイミングから、遅延時間算出部１０９によって算出された遅延時間ｄが経過したタイミングで、アナウンスメントモードへの切り替えを行うようになっている。図６に示す例では、ＤＡＢ放送からＴＡフラグを検出したタイミングから、２データ分後に、ＦＭ放送からＴＡフラグを検出しており、さらに遅延時間ｄ（図６の例では３データ分）が経過したタイミングで、アナウンスメントモードへの切り替えを行っている。
【００４９】
これにより、第２実施形態の放送受信装置１０’は、実際に交通情報の放送が開始されるタイミングで、アナウンスメントモードに切り替えることができるようになっている。すなわち、ＤＡＢ放送の通常放送がアナウンスメントモードで放送されてしまう期間をゼロとすることができる。このため、第２実施形態の放送受信装置１０’によれば、アナウンスメントモードへの切り替え時に、ユーザに与える違和感を解消することができる。
【００５０】
〔第３実施形態〕
次に、図７〜９を参照して、本発明の第３実施形態について説明する。図７は、本発明の第３実施形態に係る放送受信装置２０の機能構成例を示すブロック図である。図７に示す放送受信装置２０は、ＤＡＢ放送（第１規格の放送の一例）と、ＩＰ（Internet Protocol）放送（第２規格の放送の一例）とを受信して、受信したＤＡＢ放送の音声とＩＰ放送の音声とを選択的に切り替えてスピーカ１２に出力することが可能な装置である。
【００５１】
図７に示すように、放送受信装置２０は、第１受信部２０１、ＤＡＢ復調部２０２、第２受信部２０３、ＩＰ復調部２０４、バッファ部２０５、出力制御部２０６、フラグ検出部２０７、切替処理部２０８および遅延時間算出部２０９を備えている。
【００５２】
上記各機能ブロック２０１〜２０９は、第２実施形態（図４）に示した各機能ブロック１０１〜１０７，１０８’，１０９のうちの同名の機能ブロックと同様の機能を有しているため、詳細な機能説明を省略する。但し、第２実施形態において「ＦＭ放送」と記載したところは、第３実施形態において「ＤＡＢ放送」と読み替えることとする。また、第２実施形態において「ＤＡＢ放送」と記載したところは、第３実施形態において「ＩＰ放送」と読み替えることとする。
【００５３】
〔アナウンスメントモードへの切り替えタイミングの一例〕
図８は、本発明の第３実施形態に係る放送受信装置２０によるアナウンスメントモードへの切り替えタイミングの一例を示す図である。この例では、ＤＡＢ放送およびＩＰ放送のいずれにおいても、通常の音声放送のデータが「-2」, 「-1」，「0」，「1」，「2」，「3」，「4」と放送された後に、交通情報のデータが「T1」，「T2」，「T3」，「T4」，・・・と放送される例を説明する。ここでは、データの１コマを所定時間（例えば、１秒）の放送データとして、模式的に示している。
【００５４】
図８に示すように、ＤＡＢ放送とＩＰ放送とは同じ内容ではあるが、ＩＰ放送は、ＤＡＢ放送よりも遅延して放送局から送信される。また、図８の点線矢印が示すように、ＤＡＢ放送では、交通情報の放送開始タイミングよりも所定時間前（図８の例では５データ前）にＴＡフラグが送信される。一方、図８の実線矢印が示すように、ＩＰ放送では、交通情報の放送開始タイミングよりも所定時間前（図８の例では１０データ前）にＴＡフラグが送信される。
【００５５】
そして、図８に示すように、第３実施形態の放送受信装置２０は、ＩＰ放送のＴＡフラグを検出したタイミングでは、アナウンスメントモードへの切り替えを行わず、ＤＡＢ放送のＴＡフラグをさらに検出したタイミングから、遅延時間算出部２０９によって算出された遅延時間ｄ’が経過したタイミングで、アナウンスメントモードへの切り替えを行うようになっている。図８に示す例では、ＩＰ放送からＴＡフラグを検出したタイミングから、２データ分後に、ＤＡＢ放送からＴＡフラグを検出しており、さらに遅延時間ｄ’（図８の例では３データ分）が経過したタイミングで、アナウンスメントモードへの切り替えを行っている。
【００５６】
これにより、第３実施形態の放送受信装置２０は、ＩＰ放送からＴＡフラグを検出したタイミングでアナウンスメントモードへの切り替えを行う構成よりも、実際に交通情報の放送が開始されるタイミングに５データ分近いタイミングで、アナウンスメントモードに切り替えることができるようになっている。すなわち、ＩＰ放送の通常放送がアナウンスメントモードで放送されてしまう期間を５データ分短くすることができる。このため、第３実施形態の放送受信装置２０によれば、アナウンスメントモードへの切り替え時に、ユーザに与える違和感を低減することができる。
【００５７】
〔アナウンスメントモードへの切り替えタイミングの変形例〕
図９は、本発明の第３実施形態に係る放送受信装置２０によるアナウンスメントモードへの切り替えタイミングの変形例を示す図である。この変形例では、放送受信装置２０は、遅延時間算出部２０９（図７参照）を備えていない構成となっている。図９において、ＤＡＢ放送およびＩＰ放送から送信されるデータの内容や、ＤＡＢ放送およびＩＰ放送からＴＡフラグが送信されるタイミングについては、図８と同様であるため、説明を省略する。
【００５８】
そして、図９に示すように、この第３実施形態の変形例では、放送受信装置２０は、ＩＰ放送のＴＡフラグを検出したタイミングでは、アナウンスメントモードへの切り替えを行わず、ＤＡＢ放送のＴＡフラグをさらに検出したタイミングで、アナウンスメントモードへの切り替えを行うようになっている。図９に示す例では、ＩＰ放送からＴＡフラグを検出したタイミングから、２データ分後に、ＤＡＢ放送からＴＡフラグを検出しており、このＤＡＢ放送のＴＡフラグを検出したタイミングで、アナウンスメントモードへの切り替えを行っている。
【００５９】
これにより、第３実施形態の変形例の放送受信装置２０は、ＩＰ放送からＴＡフラグを検出したタイミングでアナウンスメントモードへの切り替えを行う構成よりも、実際に交通情報の放送が開始されるタイミングに２データ分近いタイミングで、アナウンスメントモードに切り替えることができるようになっている。すなわち、ＩＰ放送の通常放送がアナウンスメントモードで放送されてしまう期間を２データ分短くすることができる。このため、第３実施形態の変形例の放送受信装置２０によれば、アナウンスメントモードへの切り替え時に、ユーザに与える違和感を低減することができる。
【００６０】
〔第４実施形態〕
次に、図１０を参照して、本発明の第４実施形態について説明する。この第４実施形態では、ＦＭ放送を第１規格の放送とし、ＩＰ放送を第２の規格の放送とする点で、第１，第２実施形態と異なる。その他については、第１，第２実施形態と同様である。すなわち、第１，第２実施形態において「ＤＡＢ放送」と記載したところを、「ＩＰ放送」と読み替えることにより、第４実施形態の説明とすることができる。
【００６１】
〔アナウンスメントモードへの切り替えタイミングの変形例〕
図１０は、本発明の第４実施形態に係る放送受信装置によるアナウンスメントモードへの切り替えタイミングの一例を示す図である。
【００６２】
図１０（ａ）に示す例では、第４実施形態の放送受信装置は、ＩＰ放送のＴＡフラグを検出したタイミングでは、アナウンスメントモードへの切り替えを行わず、ＦＭ放送のＴＡフラグをさらに検出したタイミングで、アナウンスメントモードへの切り替えを行うようになっている。図１０（ａ）に示す例では、ＩＰ放送からＴＡフラグを検出したタイミングから、４データ分後に、ＦＭ放送からＴＡフラグを検出しており、このＦＭ放送のＴＡフラグを検出したタイミングで、アナウンスメントモードへの切り替えを行っている。
【００６３】
一方、図１０（ｂ）に示す例では、第４実施形態の放送受信装置は、ＩＰ放送のＴＡフラグを検出したタイミングでは、アナウンスメントモードへの切り替えを行わず、ＦＭ放送のＴＡフラグをさらに検出したタイミングから、遅延時間算出部１０９（図４参照）によって算出された遅延時間ｄ’’が経過したタイミングで、アナウンスメントモードへの切り替えを行うようになっている。図１０（ｂ）に示す例では、ＩＰ放送からＴＡフラグを検出したタイミングから、４データ分後に、ＦＭ放送からＴＡフラグを検出しており、さらに遅延時間ｄ’’（図１０（ｂ）の例では６データ分）が経過したタイミングで、アナウンスメントモードへの切り替えを行っている。
【００６４】
このように、第４実施形態の放送受信装置は、ＩＰ放送が出力されているとき、実際に交通情報の放送が開始されるタイミングにできるだけ近いタイミングで、アナウンスメントモードに切り替えることができるようになっている。すなわち、ＩＰ放送の通常放送がアナウンスメントモードで放送されてしまう期間をできるだけ短くすることができる。このため、第４実施形態の放送受信装置によれば、アナウンスメントモードへの切り替え時に、ユーザに与える違和感をできるだけ低減することができる。
【００６５】
なお、上記第２〜第４実施形態では、第１の規格の放送（第２，第４実施形態ではＦＭ放送、第３実施形態ではＤＡＢ放送）からの第２の規格の放送（第２実施形態ではＤＡＢ放送、第３，第４実施形態ではＩＰ放送）の遅延時間を算出して、第１の規格の放送のＴＡフラグを検出したタイミングから、算出された遅延時間が経過したタイミングで、アナウンスメントモードに切り替えるようにしているが、本発明はこれに限らない。例えば、遅延時間が予め決められている場合は、第１の規格の放送のＴＡフラグを検出したタイミングから、所定時間（遅延時間に相当）が経過したタイミングで、アナウンスメントモードに切り替えるようにしてもよい。また、例えば、第２の規格の放送において、ＴＡフラグを受信してから交通情報の放送が開始されるまでの期間が予め決められている場合は、第２の規格の放送のＴＡフラグを検出したタイミングから、その期間が経過したタイミングで、アナウンスメントモードに切り替えるようにしてもよい。
【００６６】
また、上記各実施形態では、アナウンスメントの一例として交通情報を用いているが、本発明はこれに限らない。また、第１規格の放送と第２規格の放送との組み合わせは、上記各実施形態で説明したものに限らない。少なくとも、第２規格の放送が第１規格の放送よりも遅延しており、且つ、第２規格の放送のアナウンスメントフラグが第１規格の放送のアナウンスメントフラグよりも先に放送されるものであれば、どのような組み合わせであってもよい。
【００６７】
また、上記各実施形態において、フラグ検出部１０７（またはフラグ検出部２０７）が第２規格の放送（第１，第２実施形態ではＤＡＢ放送、第３，第４実施形態ではＩＰ放送）からＴＡフラグを検出したタイミングから所定時間前までの間に、フラグ検出部１０７が第１の規格の放送（第１，第２，第４実施形態ではＦＭ放送、第３実施形態ではＤＡＢ放送）からＴＡフラグを既に検出している場合、切替処理部１０８（または切替処理部１０８’，２０８）は、フラグ検出部１０７が第２規格の放送からＴＡフラグを検出したタイミングで、第２規格の放送の出力モードをアナウンスメントモードに切り替えるようにしてもよい。これにより、少なくとも一部の放送局において、先に第１規格の放送のＴＡフラグを送信し、その後、第２規格の放送の交通情報の放送が開始される際に第２規格の放送のＴＡフラグを送信するような場合であっても、切替処理部１０８は、第２規格の放送の交通情報の放送が開始されると同時に、第２規格の放送の出力モードをアナウンスメントモードに切り替えることができるようになる。
【００６８】
その他、上記各実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００６９】
１０，１０’，２０  放送受信装置
１２  スピーカ
１４  ディスプレイ
１０１  第１受信部
１０２  ＦＭ復調部
１０３  第２受信部
１０４  ＤＡＢ復調部
１０５  バッファ部
１０６  出力制御部
１０７  フラグ検出部
１０８，１０８’  切替処理部
１０９  遅延時間算出部
２０１  第１受信部
２０２  ＤＡＢ復調部
２０３  第２受信部
２０４  ＩＰ復調部
２０５  バッファ部
２０６  出力制御部
２０７  フラグ検出部
２０８  切替処理部
２０９  遅延時間算出部
【図１】
2016144193.tif 000003
【図２】
2016144193.tif 000004
【図３】
2016144193.tif 000005
【図４】
2016144193.tif 000006
【図５】
2016144193.tif 000007
【図６】
2016144193.tif 000008
【図７】
2016144193.tif 000009
【図８】
2016144193.tif 000010
【図９】
2016144193.tif 000011
【図１０】
2016144193.tif 000012
【図１１】
2016144193.tif 000013